(57)【要約】【課題】登山コースを案内する際に、登山経路に関するリアルタイムの情報を反映させて案内する。【解決手段】サーバ１０は、複数の登山計画書情報と各登山計画書情報において登山予定とされている複数のユーザを識別するユーザＩＤとを互いに対応付けて記憶する登山計画書データベース１５２を備え、一の登山経路の第１場所を実際にユーザが通過した際の当該第１場所の状況及びそのときのユーザの状態の少なくとも何れかを示す登山経路情報をユーザが有する端末装置２０より取得し、当該ユーザが第１場所を通過した時刻よりも後に当該第１場所を通過する予定となっている登山計画書情報を、登山計画書データベース１５２において検索し、該当する登山計画書情報が検出された場合、当該登山計画書情報と対応付けられて登山計画書データベース１５２に記憶されているユーザＩＤのユーザが有する端末装置２０に対する登山経路情報の送信を制御する。【選択図】図１
2018005756.tif 000002
【特許請求の範囲】
【請求項１】
複数の登山計画書情報と該各登山計画書情報において登山予定とされている複数のユーザを識別する複数のユーザＩＤとを互いに対応付けて記憶する記憶部と、
前記複数のユーザが有する複数の端末装置と通信可能な通信部と、
制御部と、
を備え、
前記制御部は、
前記複数のユーザにおける少なくとも一人の第１ユーザが、前記登山計画書情報に応じて一の登山経路を実際に通過している間に、当該一の登山経路における第１場所の状況及び当該第１場所での前記第１ユーザの状態の少なくとも何れかを示す登山経路情報を、前記第１ユーザが有する前記端末装置より前記通信部を介して取得し、
前記第１ユーザが前記第１場所を通過した時刻よりも後に当該第１場所を通過する予定となっている少なくとも一つの特定の登山計画書情報が前記複数の登山計画書情報の中にある場合に、当該特定の登山計画書情報と対応付けられている前記ユーザＩＤに対応する前記ユーザが有する前記端末装置への前記通信部を介した前記登山経路情報の送信を制御することを特徴とする情報処理装置。
【請求項２】
前記登山経路情報は、前記第１場所の現在の状況を示す経路状況情報を含み、
前記記憶部は、前記登山経路の少なくとも前記第１場所の常時の状況を示す常時状況情報を記憶し、
前記制御部は、
前記登山経路情報により前記経路状況情報が取得され、前記複数の登山計画書情報の中に前記特定の登山計画書情報がある場合に、前記記憶部に記憶されている前記常時状況情報に基づき、前記第１場所の現在の状況が該第１場所の常時の状況と異なっているか否かを判定し、
前記第１場所の現在の状況が該第１場所の常時の状況と異なっていると判定した場合に、前記特定の登山計画書情報と対応付けられている前記ユーザＩＤに対応する前記ユーザが有する前記端末装置へ、前記通信部を介して、前記経路状況情報を送信することを特徴とする請求項１に記載の情報処理装置。
【請求項３】
前記記憶部は、前記複数のユーザの各々の登山経験レベルを示すレベル情報を前記複数のユーザＩＤの各々と対応付けて記憶し、
前記制御部は、
前記第１場所の現在の状況が該第１場所の常時の状況と異なっていないと判定した場合に、前記特定の登山計画書情報と対応付けられていている前記複数のユーザのうちの、前記登山経験レベルが最も低いレベルである前記ユーザＩＤに対応する前記ユーザを除く前記ユーザが有する前記端末装置には前記経路状況情報を送信しないことを特徴とする請求項２に記載の情報処理装置。
【請求項４】
前記登山経路情報は、前記第１場所を前記第１ユーザが実際に通過した際の前記第１ユーザの状態を示す行動推定情報を含み、
前記制御部は、
前記経路情報により前記行動推定情報が取得され、前記複数の登山計画書情報の中に前記特定の登山計画書情報がある場合に、前記特定の登山計画書情報と対応付けられている前記ユーザＩＤに対応する前記ユーザが有する前記端末装置へ、前記通信部を介して、前記行動推定情報を送信することを特徴とする請求項１〜３の何れか一項に記載の情報処理装置。
【請求項５】
端末装置であって、
ユーザが一の登山経路を登山するように計画された登山計画書情報に基づく登山ルートを表示する表示部と、
前記端末装置とは別に設けられている情報処理装置と通信可能な通信部と、
制御部と、
を備え、
前記制御部は、前記ユーザが前記端末装置を携帯して前記登山計画書情報に応じて前記一の登山経路を通過している間に、前記一の登山経路における前記ユーザが通過予定の第１場所の状況及び前記第１場所における他のユーザの状態の少なくとも何れかを示す登山経路情報を、前記通信部を介して前記情報処理装置より受信した場合に、前記表示部に、前記登山ルートの表示に加えて、前記登山経路情報に応じた情報を表示させることを特徴とする端末装置。
【請求項６】
前記制御部は、
前記登山計画書情報を、前記ユーザを識別するユーザＩＤと対応付けて前記通信部を介して前記情報処理装置に送信し、
前記ユーザが前記登山計画書情報に基づいて登山を行うときに、前記登山計画書情報を、前記通信部を介して前記情報処理装置より受信して、前記登山計画書情報に基づく前記登山ルートを前記表示部に表示させることを特徴とする請求項５に記載の端末装置。
【請求項７】
前記ユーザの動作を検出するセンサ部を備え、
前記制御部は、
前記ユーザが前記端末装置を携帯して前記登山計画書情報に応じて前記一の登山経路を通過している間に、前記センサ部の検出結果に基づいて、前記一の登山経路における第２場所の状況及び当該第２場所における前記ユーザの状態の少なくとも何れかを示す登山経路情報を取得し、
前記登山経路情報を前記ユーザＩＤと対応付けて、前記通信部を介して前記情報処理装置に送信することを特徴とする請求項５又は請求項６に記載の端末装置。
【請求項８】
複数のユーザが携帯する複数の端末装置と、当該複数の端末装置とは別に設けられている情報処理装置と、を備え、
前記複数の端末装置と前記情報処理装置は相互に通信可能であり、
前記情報処理装置は、
複数の登山計画書情報と該各登山計画書情報において登山予定とされている複数のユーザを識別する複数のユーザＩＤとを互いに対応付けて記憶する記憶部と、第１制御部と、を備え、
前記第１制御部は、前記複数のユーザにおける少なくとも一人の第１ユーザが、前記登山計画書情報に応じて一の登山経路を実際に通過している間に、当該一の登山経路における第１場所の状況及び当該第１場所での前記第１ユーザの状態の少なくとも何れかを示す登山経路情報を、前記第１ユーザが有する前記端末装置より通信により取得し、前記第１ユーザが前記第１場所を通過した時刻よりも後に当該第１場所を通過する予定となっている少なくとも一つの特定の登山計画書情報が前記複数の登山計画書情報の中にある場合に、当該特定の登山計画書情報と対応付けられている前記ユーザＩＤに対応する前記ユーザが有する前記端末装置への前記登山経路情報の送信を制御し、
前記複数の端末装置の各々は、
前記ユーザが作成した前記登山計画書情報に基づく登山ルートを表示する表示部と、前記ユーザの動作を検出するセンサ部と、第２制御部と、を備え、
前記第２制御部は、
前記ユーザが前記端末装置を携帯して前記登山計画書に応じて前記一の登山経路を通過している間に、前記センサ部の検出結果に基づいて前記登山経路情報を取得し、前記登山経路情報を前記ユーザＩＤと対応付けて、前記情報処理装置に送信し、
前記ユーザが前記端末装置を携帯して前記登山計画書情報に応じて前記一の登山経路を通過している間に、前記一の登山経路における第１場所の前記登山経路情報が前記情報処理装置から送信されて、当該登山経路情報を受信した場合に、前記表示部に、前記登山ルートの表示に加えて、前記登山経路情報に応じた情報を表示させることを特徴とする情報処理システム。
【請求項９】
情報処理装置における情報処理方法であって、
前記情報処理装置は、複数の登山計画書情報と該各登山計画書情報において登山予定とされている複数のユーザを識別する複数のユーザＩＤとを互いに対応付けて記憶する記憶部と、前記複数のユーザが有する複数の端末装置と通信可能な通信部と、を備え、
前記複数のユーザにおける少なくとも一人の第１ユーザが、前記登山計画情報に応じて一の登山経路を実際に通過している間に、当該一の登山経路における第１場所の状況及び当該第１場所での前記第１ユーザの状態の少なくとも何れかを示す登山経路情報を、前記第１ユーザが有する端末装置より前記通信部を介して取得する取得ステップと、
前記第１ユーザが前記第１場所を通過した時刻よりも後に当該第１場所を通過する予定となっている少なくとも一つの特定の登山計画書情報が前記複数の登山計画書情報の中にある場合に、当該特定の登山計画書情報と対応付けられている前記ユーザＩＤに対応する前記ユーザが有する前記端末装置への前記通信部を介した前記登山経路情報の送信を制御する送信制御ステップと、
を含むことを特徴とする情報処理方法。
【請求項１０】
情報処理装置におけるプログラムであって、
前記情報処理装置は、複数の登山計画書情報と該各登山計画書情報において登山予定とされている複数のユーザを識別する複数のユーザＩＤとを互いに対応付けて記憶する記憶部と、前記複数のユーザが有する複数の端末装置と通信可能な通信部と、を備え、
コンピュータに、
前記複数のユーザにおける少なくとも一人の第１ユーザが、該第１のユーザが作成した前記登山計画書情報に応じて一の登山経路を実際に通過している間に、当該一の登山経路における第１場所の状況及び当該第１場所での前記第１ユーザの状態の少なくとも何れかを示す登山経路情報を、前記第１ユーザが有する端末装置より前記通信部を介して取得させ、
前記第１ユーザが前記第１場所を通過した時刻よりも後に当該第１場所を通過する予定となっている少なくとも一つの特定の登山計画書情報が前記複数の登山計画書情報の中にある場合に、当該特定の登山計画書情報と対応付けられている前記ユーザＩＤに対応する前記ユーザが有する前記端末装置への前記通信部を介した前記登山経路情報の送信を制御させる、
ことを特徴とするプログラム。
【発明の詳細な説明】
【技術分野】
【０００１】
本発明は、情報処理装置、端末装置、情報処理システム、情報処理方法、及び、プログラムに関する。
【背景技術】
【０００２】
従来、登山時における登山路の目的地までの所要時間を予測し、表示する登山用ナビゲーション装置が知られている（特許文献１参照）。
【先行技術文献】
【特許文献】
【０００３】
【特許文献１】特開平１１−２７１０８６号公報
【発明の概要】
【発明が解決しようとする課題】
【０００４】
しかしながら、上記特許文献１に開示されている登山用ナビゲーション装置は、登山路の目的地までの所要時間を、当該登山路の事前情報に基づき予測を行っているため、登山当日の天候や路面の状況によっては、予測された所要時間と実際の所要時間とに大きな差が生じてしまう虞がある。
【０００５】
本発明は、このような問題に鑑みてなされたものであり、登山コースを案内する際に、登山経路に関するリアルタイムの情報を反映させて案内することを目的とする。
【課題を解決するための手段】
【０００６】
上記課題を解決するため、本発明に係る情報処理装置は、
複数の登山計画書情報と該各登山計画書情報において登山予定とされている複数のユーザを識別する複数のユーザＩＤとを互いに対応付けて記憶する記憶部と、
前記複数のユーザが有する複数の端末装置と通信可能な通信部と、
制御部と、
を備え、
前記制御部は、
前記複数のユーザにおける少なくとも一人の第１ユーザが、前記登山計画書情報に応じて一の登山経路を実際に通過している間に、当該一の登山経路における第１場所の状況及び当該第１場所での前記第１ユーザの状態の少なくとも何れかを示す登山経路情報を、前記第１ユーザが有する前記端末装置より前記通信部を介して取得し、
前記第１ユーザが前記第１場所を通過した時刻よりも後に当該第１場所を通過する予定となっている少なくとも一つの特定の登山計画書情報が前記複数の登山計画書情報の中にある場合に、当該特定の登山計画書情報と対応付けられている前記ユーザＩＤに対応する前記ユーザが有する前記端末装置への前記通信部を介した前記登山経路情報の送信を制御することを特徴とする。
【発明の効果】
【０００７】
本発明によれば、登山コースを案内する際に、登山経路に関するリアルタイムの情報を反映させて案内することができる。
【図面の簡単な説明】
【０００８】
【図１】本発明の実施の形態の登山情報管理システムを示すブロック図である。
【図２】サーバの機能構成を示すブロック図である。
【図３】端末装置の機能構成を示すブロック図である。
【図４】登山計画書情報登録処理を示すフローチャートである。
【図５】登山案内処理を示すフローチャートである。
【図６】登山経路情報提供処理を示すフローチャートである。
【図７】登山案内処理を実行した際の表示画面の一例を示す図である。
【図８】登山案内処理を実行した際の表示画面の一例を示す図である。
【発明を実施するための形態】
【０００９】
以下、添付図面を参照して本発明に係る実施の形態を詳細に説明する。なお、本発明は、図示例に限定されるものではない。
【００１０】
図１〜図３を参照して、本実施の形態の装置構成を説明する。先ず、図１を参照して、本実施の形態の登山情報管理システム１を説明する。図１は、本実施の形態の登山情報管理システム１を示すブロック図である。
【００１１】
登山情報管理システム１は、サーバ１０と、複数の端末装置２０と、を備える。
【００１２】
サーバ１０は、通信ネットワークＮに接続されたサーバであり、端末装置２０のユーザの登山に関する情報を管理する。通信ネットワークＮは、インターネットであるものとするが、ＬＡＮ（Local Area Network）等、他のネットワークとしてもよい。
【００１３】
端末装置２０は、登山者としてのユーザがそれぞれ所持する携帯端末装置である。ここでは、端末装置２０がスマートフォンであるものとして説明するが、これに限定されるものではなく、端末装置２０が、スマートウォッチ、タブレットＰＣ（Personal Computer）、携帯電話機、ＰＤＡ（Personal Digital Assistant）、ノートＰＣ等、他の携帯端末装置（例えば、登山専用の端末装置）であるものとしてもよい。また、端末装置２０は、ユーザの操作等の入力を受け付けてサーバ１０に情報を送信し、サーバ１０から受信した情報を表示する。また、端末装置２０は、通信ネットワークＮ上の基地局、アクセスポイント（いずれも図示略）等を介して、通信ネットワークＮに接続されている。
【００１４】
なお、登山情報管理システム１は、複数台の端末装置２０のユーザの登山に関する情報をサーバ１０が管理する構成とする。
【００１５】
次いで、図２を参照して、サーバ１０の内部の機能構成を説明する。図２は、サーバ１０の機能構成を示すブロック図である。
【００１６】
図２に示すように、サーバ１０は、ＣＰＵ（Central Processing Unit）１１と、操作部１２と、ＲＡＭ（Random Access Memory）１３と、表示部１４と、記憶部１５と、通信部１６と、計時部１７と、を備える。サーバ１０の各部は、バス１８を介して接続されている。
【００１７】
ＣＰＵ１１は、サーバ１０の各部を制御する制御部である。ＣＰＵ１１は、記憶部１５に記憶されているシステムプログラム及びアプリケーションプログラムのうち、指定されたプログラムを読み出してＲＡＭ１３に展開し、当該プログラムとの協働で、各種処理を実行する。
【００１８】
操作部１２は、キーボード等のキー入力部と、マウス等のポインティングデバイスとを有し、キー入力及び位置入力を受け付け、その操作情報をＣＰＵ１１に出力する。
【００１９】
ＲＡＭ１３は、揮発性のメモリであり、各種のデータやプログラムを一時的に格納するワークエリアを形成する。表示部１４は、ＬＣＤ（Liquid Crystal Display）、ＥＬ（Electro Luminescence）ディスプレイ等で構成され、ＣＰＵ１１から指示された表示情報に従い各種表示を行う。
【００２０】
記憶部１５は、ＨＤＤ（Hard Disk Drive）、ＳＳＤ（Solid State Drive）等により構成され、データ及びプログラムを書き込み及び読み出し可能な記憶部である。特に、記憶部１５は、登山計画書提供プログラム１５１、登山計画書データベース１５２、登山経路情報データベース１５３、経路状況情報データベース１５４等を記憶している。
【００２１】
登山計画書データベース１５２は、各端末装置２０，…から送信された登山計画書情報を蓄積するためのデータベースである。登山計画書データベース１５２には、各登山計画書情報が、各登山計画書情報において登山する予定とされているユーザのユーザＩＤ、ユーザレベル、及び登山計画書ＩＤの各情報と対応付けて記録されている。ここで、ユーザレベルとは、ユーザの登山経験レベルである。このユーザレベルは、例えば、登山履歴データベース（図示省略）に記録されている登山の経験時間等に基づいて、サーバ１０のＣＰＵ１１が各ユーザのユーザレベル（登山経験レベル）を設定する。このユーザレベルは、例えば登山の経験時間の長さに応じて、例えば初級、中級、上級に設定される。なお、このユーザレベルは、初級、中級、上級の３段階に限るものではなく、３段階より多い多段階に設定されるものであってもよい。
【００２２】
登山経路情報データベース１５３は、各端末装置２０，…から送信された登山経路情報を蓄積するためのデータベースである。ここで、登山経路情報とは、転倒、滑り、滑落等の行動推定情報と登山経路の状況を示す経路状況情報とを含む。登山経路情報データベース１５３には、各登山経路情報が、ユーザＩＤ、ユーザレベル、及び登山計画書ＩＤの各情報と対応付けて記録されている。
【００２３】
経路状況情報データベース１５４は、各登山経路の常時の状況を示す常時経路状況情報を蓄積したデータベースである。
【００２４】
通信部１６は、ネットワークカード等により構成され、通信ネットワークＮに通信接続されて、通信ネットワークＮ上の機器との通信を行う。ＣＰＵ１１は、通信部１６を介して、通信ネットワークＮ上の端末装置２０と通信が可能である。
【００２５】
計時部１７は、リアルタイムクロックであり、現在日時を計時し、計時した現在日時情報をＣＰＵ１１に出力する。
【００２６】
次いで、図３を参照して、端末装置２０の機能構成を説明する。図３は、端末装置２０の機能構成を示すブロック図である。
【００２７】
端末装置２０は、ＣＰＵ２１と、操作部２２と、ＲＡＭ２３と、表示部２４と、記憶部２５と、通信部２６と、センサ部２７と、ＧＰＳ処理部２８とを備える。端末装置２０の各部は、バス２９を介して接続されている。
【００２８】
ＣＰＵ２１、ＲＡＭ２３、表示部２４は、サーバ１０のＣＰＵ１１、ＲＡＭ１３、表示部１４と同様であるため、重複する説明を省略し、異なる部分を主として説明する。
【００２９】
ＣＰＵ２１は、端末装置２０の各部を制御する制御部である。操作部２２は、表示部２４の表示画面上に設けられたタッチパネルを有し、ユーザからのタッチ入力を受け付け、その操作情報をＣＰＵ２１に出力する。
【００３０】
記憶部２５は、フラッシュメモリ、ＥＥＰＲＯＭ（Electrically Erasable Programmable ROM）等により構成され、データ及びプログラムを書き込み及び読み出し可能な記憶部である。特に、記憶部２５には、案内プログラム２５１が記憶されている。
【００３１】
通信部２６は、アンテナ、変復調回路、信号処理回路等により構成され、通信ネットワークＮ上の基地局、アクセスポイント等と電波により情報の送受信を行う。このため、ＣＰＵ２１は、通信部２６により、通信ネットワークＮ上の基地局、アクセスポイント等を介して、サーバ１０と通信を行うことができる。
【００３２】
センサ部２７は、加速度センサ２７１、角速度センサ２７２、地磁気センサ２７３、及び気圧センサ２７４の全て又は少なくとも一部を備えている。
【００３３】
加速度センサ２７１は、互いに直交する３軸方向の加速度をそれぞれ検出する。そして、加速度センサ２７１は、検出された各軸の加速度の検出データをＣＰＵ２１に出力する。
角速度センサ２７２は、互いに直交する３軸方向を中心とする角速度をそれぞれ検出する。そして、角速度センサ２７２は、検出された各軸を中心とする角速度の検出データをＣＰＵ２１に出力する。
地磁気センサ２７３は、互いに直交する３軸方向の地磁気の大きさをそれぞれ検出する。そして、地磁気センサ２７３は、検出された各軸の地磁気の検出データをＣＰＵ２１に出力する。
気圧センサ２７４は、気圧センサ２７４の周囲の気圧値を検出するセンサである。気圧センサ２７４は、検出した気圧値の検出データをＣＰＵ２１に出力する。
【００３４】
測位部２８は、ＧＰＳ（Global Positioning System）衛星から送信された信号を受信して、端末装置２０が存在する現在位置を測位する（ＧＰＳ測位）。すなわち、測位部２８は、例えば、地球低軌道に打ち上げられている複数のＧＰＳ衛星から送信される信号（例えば、Ｃ／Ａ（Coarse and Acquisitions）コードやＰ（Precise）コード等の測位符号、アルマナック情報（概略軌道情報）やエフェメリス情報（詳細軌道情報）等の航法メッセージなど）を所定のタイミングで受信アンテナ（図示省略）により受信する。そして、測位部２８は、受信アンテナにより受信された信号に基づいて、例えば、３次元測位モードで端末装置２０の３次元の現在位置（緯度、経度、高さ）を測定する測位処理を行う。
【００３５】
次に、図４〜図８を参照して、登山情報管理システム１の動作を説明する。図４は、登山計画書情報登録処理を示すフローチャートである。図５は、登山案内処理を示すフローチャートである。図６は、登山経路情報提供処理を示すフローチャートである。図７及び図８は、登山案内処理を実行した際の各状況下における表示画面を示す図である。
【００３６】
先ず、図４を参照して、端末装置２０で実行される登山計画書情報登録処理を説明する。登山計画書情報登録処理は、登山計画書を作成し、当該登山計画書に係る登山計画書情報をサーバ１０の登山計画書データベース１５２に登録する処理である。端末装置２０において、操作部２２を介して、ユーザから登山計画書情報登録処理の実行指示が入力されたことをトリガとして、ＣＰＵ２１は、記憶部２５から読み出して適宜ＲＡＭ２３に展開した案内プログラム２５１との協働で、登山計画書情報登録処理を実行する。
【００３７】
先ず、ＣＰＵ２１は、ユーザによる操作部２２の所定操作に基づき、登山計画書が作成されたか否かを判定する（ステップＳ１）。ここで、登山計画書は、例えば、この登山計画書により登山する予定のユーザのユーザＩＤ、登山ルート、入山予定日時、下山予定日時等の項目を有している。そして、登山計画書の作成は、例えば、表示部２４に表示された登山計画書作成フォーム（図示省略）上において、上記のユーザＩＤ、登山ルート、入山予定日時、下山予定日時等の項目に関する情報を、操作部２２を介してユーザが入力することによって、登山計画書が作成されるようになっている。
【００３８】
ステップＳ１において、登山計画書が作成されていないと判定された場合（ステップＳ１；ＮＯ）は、ステップＳ１の判定処理を繰り返し行う。
一方、ステップＳ１において、登山計画書が作成されたと判定された場合（ステップＳ１；ＹＥＳ）、ＣＰＵ２１は、通信部２６を介して、作成された登山計画書に係る登山計画書情報をサーバ１０に送信し（ステップＳ２）、登山計画書情報登録処理を終了する。
【００３９】
次いで、図５を参照して、端末装置２０で実行される登山案内処理を説明する。登山案内処理は、登山計画書データベース１５２に事前に登録されている登山計画書情報の登山ルートに従ってユーザの登山をガイドする処理である。端末装置２０において、操作部２２を介して、ユーザから登山案内処理の実行指示が入力されたことをトリガとして、ＣＰＵ２１は、記憶部２５から読み出して適宜ＲＡＭ２３に展開した案内プログラム２５１との協働で、登山案内処理を実行する。
【００４０】
先ず、ユーザによる操作部２２の所定操作に基づいて、登山計画書データベース１５２に登録されている登山計画書情報のうち、当該ユーザに対応する登山計画書情報が指定されると（ステップＳ１１）、ＣＰＵ２１は、通信部２６を介して、指定された登山計画書情報をサーバ１０より受信して、当該登山計画書情報に基づく登山ルート（図７参照）を表示部２４に表示させる（ステップＳ１２）。なお、ここでは指定された登山計画書情報をサーバ１０より受信するとしたが、登山計画書が端末装置２０で作成されて、端末装置２０にその登山計画書が記憶されている状態である場合は、指定された登山計画書情報をサーバ１０より受信する必要は無い。
【００４１】
そして、ＣＰＵ２１は、ユーザによる操作部２２の所定操作に基づいて、案内開始の指示がなされたか否かを判定する（ステップＳ１３）。具体的には、ＣＰＵ２１は、例えば、図７の表示画面１００Ａに表示されているＳＴＡＲＴボタンＢ１が操作されたか否かを判定する。
ステップＳ１３において、案内開始の指示がなされていないと判定された場合（ステップＳ１３；ＮＯ）は、ステップＳ１３の判定処理を繰り返し行う。
一方、ステップＳ１３において、案内開始の指示がなされたと判定された場合（ステップＳ１３；ＹＥＳ）、ＣＰＵ２１は、センサ部２７より検出された各検出データに基づき登山経路の状況の推定を例えば一定期間毎に行うとともに、ユーザの行動推定を適宜又は一定期間ごとに行う（ステップＳ１４）。ここで、ＣＰＵ２１は、推定された登山経路の状況を示す経路状況データ及び行動推定情報をＲＡＭ２３に一時的に格納する。
【００４２】
なお、ＣＰＵ２１は、以下の第１ステップ〜第３ステップを繰り返し行う（機械学習を行う）ことにより、登山経路の状況の推定を自動的に行うことを可能とする。
第１ステップ；ＣＰＵ２１は、歩行中のユーザの振動に係る検出データを加速度センサ２７１より取得し記憶部２５に記憶する。
第２ステップ；ＣＰＵ２１は、ユーザによる操作部２２の所定操作に基づき、上記の歩行中における登山経路の状況（例えば、ぬかるんでいる、砂利道、舗装路等）を指定させる。
第３ステップ；ＣＰＵ２１は、第２ステップで指定された登山経路の状況を示す経路状況情報と、第１ステップで取得した上記振動に係る検出データとを対応付けて記憶部２５に記憶する。
【００４３】
そして、ＣＰＵ２１は、登山経路の状況の推定を行う毎に、今回推定された登山経路の状況と前回推定された登山経路の状況とに変化があるか否かを判定する（ステップＳ１５）。
ステップＳ１５において、今回推定された登山経路の状況と前回推定された登山経路の状況とに変化があると判定された場合（ステップＳ１５；ＹＥＳ）、ＣＰＵ２１は、通信部２６を介して、今回推定された登山経路の状況を示す経路状況情報、登山経路における当該状況となっている場所及び時刻を示す情報、ユーザＩＤ、及び登山計画書ＩＤをサーバ１０に送信し（ステップＳ１６）、ステップＳ１７に移行する。
一方、ステップＳ１５において、今回推定された登山経路の状況と前回推定された登山経路の状況とに変化がないと判定された場合（ステップＳ１５；ＮＯ）、ステップＳ１６をスキップして、ステップＳ１７に移行する。
【００４４】
そして、ＣＰＵ２１は、センサ部２７より検出された各検出データに基づきユーザの行動推定を行い、所定の行動推定情報（例えば、転倒、滑り、滑落等の発生を示す情報）があるか否かを、例えば一定期間毎に判定する（ステップＳ１７）。具体的には、ＣＰＵ２１は、加速度センサ２７１により検出された検出データに基づき、各軸の加速度のベクトル合計が０ｇ（ｍ／ｓ２）に近づいている状態にあるか否かを判定する。そして、ＣＰＵ２１は、各軸の加速度のベクトル合計が０ｇ（ｍ／ｓ２）に近づいている状態にあるときの持続時間に応じて、転倒であるか滑落であるかを判定する。例えば、上記の持続時間が所定時間（例えば、５００ｍｓ）未満である場合、ＣＰＵ２１は、転倒の発生を示す行動推定情報があると判定する。一方、上記の持続時間が所定時間（例えば、５００ｍｓ）以上である場合、ＣＰＵ２１は、滑落の発生を示す行動推定情報があると判定する。
また、各軸の加速度のベクトル合計が０ｇ（ｍ／ｓ２）に近づいている状態にない場合、ＣＰＵ２１は、加速度センサ２７１により検出された検出データが通常の歩行振動波形から外れたデータであるとき、滑りの発生を示す行動推定情報があると判定する。
【００４５】
ステップＳ１７において、所定の行動推定情報があると判定された場合（ステップＳ１７；ＹＥＳ）、ＣＰＵ２１は、通信部２６を介して、当該行動推定情報、当該行動推定情報が検出された場所及び時刻を示す情報、ユーザＩＤ、及び登山計画書ＩＤをサーバ１０に送信し（ステップＳ１８）、ステップＳ１９に移行する。
一方、ステップＳ１７において、所定の行動推定情報がないと判定された場合（ステップＳ１７；ＮＯ）は、ステップＳ１８をスキップして、ステップＳ１９に移行する。
【００４６】
そして、ＣＰＵ２１は、通信部２６を介して、サーバ１０より登山経路情報を受信したか否かを判定する（ステップＳ１９）。ここで、登山経路情報とは、上述した登山経路の状況情報、及び行動推定情報を指す。
ステップＳ１９において、登山経路情報を受信したと判定された場合（ステップＳ１９；ＹＥＳ）、ＣＰＵ２１は、表示部２４に表示されている登山ルートに当該登山経路情報を反映させ（ステップＳ２０）、ステップＳ２１に移行する。具体的には、ＣＰＵ２１は、例えば、図８（ａ）の表示画面１００Ｂに示すように、登山ルートのうち、受信した登山経路情報の発生場所に対応する位置に「！」マークの吹き出しＩａを表示させるとともに、当該登山経路情報を反映させたことを示す文字情報（例えば、「事故情報です」の文字情報）Ｉｂを表示させる。そして、操作部２２を介して、吹き出しＩａのタッチ操作がなされると、図８（ｂ）の表示画面１００Ｃに示すように、詳細情報Ｉｃが表示されるようになっている。
一方、ステップＳ１９において、登山経路情報を受信していないと判定された場合（ステップＳ１９；ＮＯ）は、ステップＳ２０をスキップして、ステップＳ２１に移行する。
【００４７】
そして、ＣＰＵ２１は、ユーザによる操作部２２の所定操作に基づいて、案内終了の指示がなされたか否かを判定する（ステップＳ２１）。具体的には、ＣＰＵ２１は、例えば、図８（ａ），（ｂ）の表示画面１００ｂ，１００Ｃに表示されているＳＴＯＰボタンＢ２が操作されたか否かを判定する。
ステップＳ２１において、案内終了の指示がなされていないと判定された場合（ステップＳ２１；ＮＯ）は、ステップＳ１４に移行する。
一方、ステップＳ２１において、案内終了の指示がなされたと判定された場合（ステップＳ２１；ＹＥＳ）、登山案内処理を終了する。
【００４８】
次いで、図６を参照して、サーバ１０で実行される登山経路情報提供処理を説明する。
サーバ１０において、操作部１２を介して、登山経路情報提供処理の実行指示が入力されたことをトリガとして、ＣＰＵ１１は、記憶部１５から読み出して適宜ＲＡＭ２３に展開した登山計画書提供プログラム１５１との協働で、登山経路情報提供処理を実行する。
【００４９】
先ず、ＣＰＵ１１は、上述した登山案内処理を実行中の端末装置２０より登山経路情報を受信したか否かを判定する（ステップＳ１０１）。
ステップＳ１０１において、登山経路情報を受信していないと判定された場合（ステップＳ１０１；ＮＯ）は、ステップＳ１０１の判定処理を繰り返し行う。
一方、ステップＳ１０１において、登山経路情報を受信したと判定された場合（ステップＳ１０１；ＹＥＳ）、ＣＰＵ１１は、受信した登山経路情報を登山経路情報データベース１５３に記録し（ステップＳ１０２）、ステップＳ１０３に移行する。
【００５０】
そして、ＣＰＵ１１は、登山計画書データベース１５２に記録されている複数の登山計画書情報を対象として、ステップＳ１０１で受信した登山経路情報の発生日と同日であって、当該登山経路情報の発生場所をこれから通過する予定の登山計画書情報（特定の登山計画書情報）を検索する（ステップＳ１０３）。
そして、ステップＳ１０４において、該当する登山計画書情報がないと判定された場合（ステップＳ１０４；ＮＯ）は、ステップＳ１０１に移行する。
一方、ステップＳ１０４において、該当する登山計画書情報があると判定された場合（ステップＳ１０４；ＹＥＳ）、ＣＰＵ１１は、ステップＳ１０１で受信した登山経路情報が経路状況情報のみであるか否かを判定する（ステップＳ１０５）。
【００５１】
ステップＳ１０５において、受信した登山経路情報が経路状況情報のみでないと判定、すなわち、行動推定情報も受信したと判定された場合（ステップＳ１０５；ＮＯ）、ＣＰＵ１１は、当該経路状況情報及び当該行動推定情報の発生場所及び発生時刻、ユーザレベルを示す情報を、通信部１６を介して、上記の該当登山計画書情報に対応するユーザ（以下、対象ユーザとも言う）全員に送信し（ステップＳ１０６）、ステップＳ１０１に移行する。
一方、ステップＳ１０５において、受信した登山経路情報が経路状況情報のみであると判定された場合（ステップＳ１０５；ＹＥＳ）、ＣＰＵ１１は、経路状況情報データベース１５４を参照し、受信した経路状況情報の経路状況が常時の経路状況と異なっているか否かを判定する（ステップＳ１０７）。
【００５２】
ステップＳ１０７において、受信した経路状況情報の経路状況が同じ場所の常時の経路状況と異なっていると判定された場合（ステップＳ１０８；ＹＥＳ）、ＣＰＵ１１は、当該経路状況情報の発生場所及び発生時刻、ユーザレベルを示す情報を、通信部１６を介して、上記の対象ユーザ全員に送信し（ステップＳ１０８）、ステップＳ１０１に移行する。
一方、ステップＳ１０７において、受信した経路状況情報の経路状況が同じ場所の常時の経路状況と異なっていないと判定された場合（ステップＳ１０８；ＮＯ）、ＣＰＵ１１は、当該経路状況情報の発生場所及び発生時刻、ユーザレベルを示す情報を、通信部１６を介して、上記の対象ユーザのうちユーザレベルが初級であるユーザのみに送信し、ユーザレベルが初級でないユーザには送信せず（ステップＳ１０９）、ステップＳ１０１に移行する。
【００５３】
以上、本実施の形態によれば、サーバ１０は、一の登山経路を実際にユーザが通過した際の当該登山経路の状況を示す登山経路情報を取得し、当該登山経路情報の登山経路の状況を示す日と同日であって、当該ユーザが通過した時刻よりも後に当該登山経路を通過する予定となっている登山計画書情報を、登山計画書データベース１５２において検索し、該当する登山計画書情報が検出された場合、当該登山計画書情報と対応付けられて登山計画書データベース１５２に記憶されているユーザＩＤのユーザに対して、取得された登山経路情報を送信する。
【００５４】
このため、登山中のユーザやこれから登山を行う予定のユーザに対して、登山当日のリアルタイムの登山経路情報を送信することができ、当該ユーザは当該登山経路情報を念頭に置いて登山を行うことができるようになるので、登山中の事故を軽減することができる。
【００５５】
また、サーバ１０は、各登山経路の常時の状況を示す常時経路状況情報を記憶する経路状況記憶部（経路状況情報データベース１５４）を備える。また、サーバ１０は、上記登山経路の現在の状況を示す経路状況情報を取得し、当該経路状況を示す日と同日であって、当該ユーザが通過した時刻よりも後に当該登山経路を通過する予定となっている登山計画書情報を、登山計画書データベース１５２において検索し、該当する登山計画書情報が検出された場合に、経路状況記憶部（経路状況情報データベース１５４）に記憶されている常時経路状況情報に基づき、取得された経路状況情報による現在の経路の状況が同じ場所の常時の状況と異なっているか否かを判定する。そして、サーバ１０は、現在の状況が常時の状況と異なっていると判定された場合、検出された登山計画書情報と対応付けられて登山計画書データベース１５２に記憶されているユーザＩＤのユーザ全員を対象として、上記経路状況情報を送信する。このため、登山経路の状況がいつもと違う状況の場合は、登山中のユーザやこれから登山を行う予定のユーザ全員に対して、経路状況情報を送信することとなる。これにより、かかる場合には、ユーザレベルによらず、対象ユーザ全員に対して注意を促すことができるので、登山中の事故を軽減することができる。
【００５６】
一方、サーバ１０は、登山経路の現在の状況が常時の状況と異なっていないと判定された場合、検出された登山計画書情報と対応付けられて登山計画書データベース１５２に記憶されているユーザＩＤのユーザのうち、登山の経験が比較的少ない、ユーザレベルが初級のユーザのみを対象として、上記経路状況情報を送信する。このため、登山経路の状況がいつもと同じ状況の場合は、登山中のユーザやこれから登山を行う予定のユーザのうち、ユーザレベルが初級のユーザ以外のユーザは上記経路状況情報の送信対象から除外することができる。これにより、ユーザレベルが初級のユーザ以外の、中級や上級のユーザが上記経路状況情報を受信することによる煩わしさを解消することができる。
【００５７】
また、サーバ１０は、所定の行動推定情報を取得した場合、検出された登山計画書情報と対応付けられて登山計画書データベース１５２に記憶されているユーザＩＤのユーザ全員を対象として、上記所定の行動推定情報を送信する。このため、登山経路において転倒、滑り、滑落等の行動が推定された場合は、登山中のユーザやこれから登山を行う予定のユーザ全員に対して、上記所定の行動推定情報を送信することとなる。これにより、かかる場合には、ユーザレベルによらず、対象ユーザ全員に対して注意を促すことができるので、登山中の事故を軽減することができる。
【００５８】
以上の説明では、本発明に係るプログラムのコンピュータ読み取り可能な媒体として記憶部１５のＨＤＤ、ＳＳＤを使用した例を開示したが、この例に限定されない。その他のコンピュータ読み取り可能な媒体として、フラッシュメモリや、ＣＤ−ＲＯＭ等の可搬型記録媒体を適用することが可能である。また、本発明に係るプログラムのデータを、通信回線を介して提供する媒体として、キャリアウエーブ（搬送波）も本発明に適用される。
【００５９】
なお、上記実施の形態における記述は、本発明に係る情報処理装置、情報処理方法、プログラム、及び情報処理システムの一例であり、これに限定されるものではない。
【００６０】
例えば、上記実施の形態では、端末装置２０が所定の行動推定や経路の状況の推定を行うようにしたがこれに限定されるものではない。例えば、加速度センサ、角速度センサ、地磁気センサ、測位部等を備える測定装置が所定の行動推定や経路の状況の推定を行い、当該推定結果を示す行動推定情報や経路状況情報を端末装置２０に送信する構成としてもよい。
【００６１】
また、上記実施の形態では、登山履歴データベース（図示省略）に記録されている登山の経験時間等に基づいて、サーバ１０のＣＰＵ１１が各ユーザのユーザレベルを設定するようにしたがこれに限定されるものではない。例えば、端末装置２０において、ユーザによる操作部２２の所定操作に基づき、ユーザが自らユーザレベルの設定を行えるように構成し、サーバ１０が当該ユーザレベルを示すユーザレベル情報を受信することにより、ユーザレベルを設定するようにしてもよい。
【００６２】
また、上記実施の形態では、端末装置２０は、経路の状況に変化があったと判定されたときに、当該経路の状況を示す経路状況情報をサーバ１０へ送信するようにしたがこれに限定されるものではない。例えば、端末装置２０は、所定時間ごとに経路状況情報を取得するように構成し、当該経路状況情報をサーバ１０へ送信するようにしてもよい。
【００６３】
また、上記実施の形態における登山情報管理システム１の各構成要素の細部構成及び細部動作に関しては、本発明の趣旨を逸脱することのない範囲で適宜変更可能であることは勿論である。
【００６４】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の登山計画書情報と該各登山計画書情報において登山予定とされている複数のユーザを識別する複数のユーザＩＤとを互いに対応付けて記憶する記憶部と、
前記複数のユーザが有する複数の端末装置と通信可能な通信部と、
制御部と、
を備え、
前記制御部は、
前記複数のユーザにおける少なくとも一人の第１ユーザが、前記登山計画書情報に応じて一の登山経路を実際に通過している間に、当該一の登山経路における第１場所の状況及び当該第１場所での前記第１ユーザの状態の少なくとも何れかを示す登山経路情報を、前記第１ユーザが有する前記端末装置より前記通信部を介して取得し、
前記第１ユーザが前記第１場所を通過した時刻よりも後に当該第１場所を通過する予定となっている少なくとも一つの特定の登山計画書情報が前記複数の登山計画書情報の中にある場合に、当該特定の登山計画書情報と対応付けられている前記ユーザＩＤに対応する前記ユーザが有する前記端末装置への前記通信部を介した前記登山経路情報の送信を制御することを特徴とする情報処理装置。
＜請求項２＞
前記登山経路情報は、前記第１場所の現在の状況を示す経路状況情報を含み、
前記記憶部は、前記登山経路の少なくとも前記第１場所の常時の状況を示す常時状況情報を記憶し、
前記制御部は、
前記登山経路情報により前記経路状況情報が取得され、前記複数の登山計画書情報の中に前記特定の登山計画書情報がある場合に、前記記憶部に記憶されている前記常時状況情報に基づき、前記第１場所の現在の状況が該第１場所の常時の状況と異なっているか否かを判定し、
前記第１場所の現在の状況が該第１場所の常時の状況と異なっていると判定した場合に、前記特定の登山計画書情報と対応付けられている前記ユーザＩＤに対応する前記ユーザが有する前記端末装置へ、前記通信部を介して、前記経路状況情報を送信することを特徴とする請求項１に記載の情報処理装置。
＜請求項３＞
前記記憶部は、前記複数のユーザの各々の登山経験レベルを示すレベル情報を前記複数のユーザＩＤの各々と対応付けて記憶し、
前記制御部は、
前記第１場所の現在の状況が該第１場所の常時の状況と異なっていないと判定した場合に、前記特定の登山計画書情報と対応付けられていている前記複数のユーザのうちの、前記登山経験レベルが最も低いレベルである前記ユーザＩＤに対応する前記ユーザを除く前記ユーザが有する前記端末装置には前記経路状況情報を送信しないことを特徴とする請求項２に記載の情報処理装置。
＜請求項４＞
前記登山経路情報は、前記第１場所を前記第１ユーザが実際に通過した際の前記第１ユーザの状態を示す行動推定情報を含み、
前記制御部は、
前記経路情報により前記行動推定情報が取得され、前記複数の登山計画書情報の中に前記特定の登山計画書情報がある場合に、前記特定の登山計画書情報と対応付けられている前記ユーザＩＤに対応する前記ユーザが有する前記端末装置へ、前記通信部を介して、前記行動推定情報を送信することを特徴とする請求項１〜３の何れか一項に記載の情報処理装置。
＜請求項５＞
端末装置であって、
ユーザが一の登山経路を登山するように計画された登山計画書情報に基づく登山ルートを表示する表示部と、
前記端末装置とは別に設けられている情報処理装置と通信可能な通信部と、
制御部と、
を備え、
前記制御部は、前記ユーザが前記端末装置を携帯して前記登山計画書情報に応じて前記一の登山経路を通過している間に、前記一の登山経路における前記ユーザが通過予定の第１場所の状況及び前記第１場所における他のユーザの状態の少なくとも何れかを示す登山経路情報を、前記通信部を介して前記情報処理装置より受信した場合に、前記表示部に、前記登山ルートの表示に加えて、前記登山経路情報に応じた情報を表示させることを特徴とする端末装置。
＜請求項６＞
前記制御部は、
前記登山計画書情報を、前記ユーザを識別するユーザＩＤと対応付けて前記通信部を介して前記情報処理装置に送信し、
前記ユーザが前記登山計画書情報に基づいて登山を行うときに、前記登山計画書情報を、前記通信部を介して前記情報処理装置より受信して、前記登山計画書情報に基づく前記登山ルートを前記表示部に表示させることを特徴とする請求項５に記載の端末装置。
＜請求項７＞
前記ユーザの動作を検出するセンサ部を備え、
前記制御部は、
前記ユーザが前記端末装置を携帯して前記登山計画書情報に応じて前記一の登山経路を通過している間に、前記センサ部の検出結果に基づいて、前記一の登山経路における第２場所の状況及び当該第２場所における前記ユーザの状態の少なくとも何れかを示す登山経路情報を取得し、
前記登山経路情報を前記ユーザＩＤと対応付けて、前記通信部を介して前記情報処理装置に送信することを特徴とする請求項５又は請求項６に記載の端末装置。
＜請求項８＞
複数のユーザが携帯する複数の端末装置と、当該複数の端末装置とは別に設けられている情報処理装置と、を備え、
前記複数の端末装置と前記情報処理装置は相互に通信可能であり、
前記情報処理装置は、
複数の登山計画書情報と該各登山計画書情報において登山予定とされている複数のユーザを識別する複数のユーザＩＤとを互いに対応付けて記憶する記憶部と、第１制御部と、を備え、
前記第１制御部は、前記複数のユーザにおける少なくとも一人の第１ユーザが、前記登山計画書情報に応じて一の登山経路を実際に通過している間に、当該一の登山経路における第１場所の状況及び当該第１場所での前記第１ユーザの状態の少なくとも何れかを示す登山経路情報を、前記第１ユーザが有する前記端末装置より通信により取得し、前記第１ユーザが前記第１場所を通過した時刻よりも後に当該第１場所を通過する予定となっている少なくとも一つの特定の登山計画書情報が前記複数の登山計画書情報の中にある場合に、当該特定の登山計画書情報と対応付けられている前記ユーザＩＤに対応する前記ユーザが有する前記端末装置への前記登山経路情報の送信を制御し、
前記複数の端末装置の各々は、
前記ユーザが作成した前記登山計画書情報に基づく登山ルートを表示する表示部と、前記ユーザの動作を検出するセンサ部と、第２制御部と、を備え、
前記第２制御部は、
前記ユーザが前記端末装置を携帯して前記登山計画書に応じて前記一の登山経路を通過している間に、前記センサ部の検出結果に基づいて前記登山経路情報を取得し、前記登山経路情報を前記ユーザＩＤと対応付けて、前記情報処理装置に送信し、
前記ユーザが前記端末装置を携帯して前記登山計画書情報に応じて前記一の登山経路を通過している間に、前記一の登山経路における第１場所の前記登山経路情報が前記情報処理装置から送信されて、当該登山経路情報を受信した場合に、前記表示部に、前記登山ルートの表示に加えて、前記登山経路情報に応じた情報を表示させることを特徴とする情報処理システム。
＜請求項９＞
情報処理装置における情報処理方法であって、
前記情報処理装置は、複数の登山計画書情報と該各登山計画書情報において登山予定とされている複数のユーザを識別する複数のユーザＩＤとを互いに対応付けて記憶する記憶部と、前記複数のユーザが有する複数の端末装置と通信可能な通信部と、を備え、
前記複数のユーザにおける少なくとも一人の第１ユーザが、前記登山計画情報に応じて一の登山経路を実際に通過している間に、当該一の登山経路における第１場所の状況及び当該第１場所での前記第１ユーザの状態の少なくとも何れかを示す登山経路情報を、前記第１ユーザが有する端末装置より前記通信部を介して取得する取得ステップと、
前記第１ユーザが前記第１場所を通過した時刻よりも後に当該第１場所を通過する予定となっている少なくとも一つの特定の登山計画書情報が前記複数の登山計画書情報の中にある場合に、当該特定の登山計画書情報と対応付けられている前記ユーザＩＤに対応する前記ユーザが有する前記端末装置への前記通信部を介した前記登山経路情報の送信を制御する送信制御ステップと、
を含むことを特徴とする情報処理方法。
＜請求項１０＞
情報処理装置におけるプログラムであって、
前記情報処理装置は、複数の登山計画書情報と該各登山計画書情報において登山予定とされている複数のユーザを識別する複数のユーザＩＤとを互いに対応付けて記憶する記憶部と、前記複数のユーザが有する複数の端末装置と通信可能な通信部と、を備え、
コンピュータに、
前記複数のユーザにおける少なくとも一人の第１ユーザが、該第１のユーザが作成した前記登山計画書情報に応じて一の登山経路を実際に通過している間に、当該一の登山経路における第１場所の状況及び当該第１場所での前記第１ユーザの状態の少なくとも何れかを示す登山経路情報を、前記第１ユーザが有する端末装置より前記通信部を介して取得させ、
前記第１ユーザが前記第１場所を通過した時刻よりも後に当該第１場所を通過する予定となっている少なくとも一つの特定の登山計画書情報が前記複数の登山計画書情報の中にある場合に、当該特定の登山計画書情報と対応付けられている前記ユーザＩＤに対応する前記ユーザが有する前記端末装置への前記通信部を介した前記登山経路情報の送信を制御させる、
ことを特徴とするプログラム。
【符号の説明】
【００６５】
１    登山情報管理システム
１０  サーバ
１１  ＣＰＵ
１２  操作部
１３  ＲＡＭ
１４  表示部
１５  記憶部
１６  通信部
１７  計時部
１８  バス
２０  端末装置
２１  ＣＰＵ
２２  操作部
２３  ＲＡＭ
２４  表示部
２５  記憶部
２６  通信部
２７  センサ部
２８  測位部
２９  バス
Ｎ    通信ネットワーク
【図１】
2018005756.tif 000003
【図２】
2018005756.tif 000004
【図３】
2018005756.tif 000005
【図４】
2018005756.tif 000006
【図５】
2018005756.tif 000007
【図６】
2018005756.tif 000008
【図７】
2018005756.tif 000009
【図８】
2018005756.tif 000010